(57)【要約】      （修正有）【課題】製作コストが嵩まない簡易な構成の始動用光源によって、高圧放電ランプの消灯直後の熱間時でもその放電容器内に必要十分な量の紫外線を照射して当該ランプの始動性能を確実に高めることができる光源装置を提供する。【解決手段】高圧放電ランプ１の点灯始動時にその始動性能を高める紫外線を放電容器に向けて照射する始動用光源３が、ランプ１の点灯回路に対して並列に接続された放電管１８で成り、当該放電管１８の内部電極の基端側露出端部１９ｃ及び先端部１９ｂのいずれか一方または双方を、前記凹面反射鏡２のボトム孔１４に挿通されたランプ１の電極封着部９Ｌの端面１０と対向する位置に設けた。【選択図】図４
2010267460.tif 000002
【特許請求の範囲】
【請求項１】
発光管の放電容器内に、一対の電極が対向して配置されると共に、少なくとも水銀と始動用ガスが封入され、当該放電容器から発光管の両端に至る部分を気密に封止して前記各電極を封着した一対の電極封着部が形成され、当該各電極封着部の端面から突出した電極リードを介して点灯回路に接続される高圧放電ランプと、当該ランプが前記電極封着部の片方を反射鏡底部に開口するボトム孔に挿通して取り付けられる凹面反射鏡と、前記ランプの点灯始動時にその始動性能を高める紫外線を前記放電容器に向けて照射する始動用光源とを備えた光源装置において、
前記始動用光源は、前記ランプの点灯始動時に前記電極間に印加される始動用電圧が外部電極と内部電極との間に印加されることにより紫外線を発生する放電管で形成され、
前記内部電極の基端側が放電管のピンチシール部に封着され、先端側が放電管の中心軸に沿ってピンチシール部から放電管内に露出されるように延設されると共に、
当該内部電極の基端側露出端部及び先端部のいずれか一方または双方が、前記凹面反射鏡のボトム孔に挿通された高圧放電ランプの電極封着部端面と対向する位置に設けられたことを特徴とする光源装置。
【請求項２】
前記内部電極の中心軸の傾斜角度θが、高圧放電ランプの電極封着部の端面に対して、
−３０°≦θ≦＋３０°
である請求項１記載の光源装置。
【発明の詳細な説明】
【技術分野】
【０００１】
本発明は、液晶プロジェクタやＤＬＰプロジェクタなどに用いられる光源装置に関する。
【背景技術】
【０００２】
小型で且つ投影画像が明るいことが要求される液晶プロジェクタやＤＬＰプロジェクタの光源装置は、その光源として、小型で高輝度発光が得られるショートアークタイプの高圧水銀蒸気放電ランプを用いているが、この種のランプは、概して冷間時（cold condition）の始動性能や熱間時（hot restrike）の再始動性能が良くないという問題があるため、始動補助光源を設けて始動性能を高めることとしている。
【０００３】
図７に示す従来の光源装置は、石英ガラス管で成る発光管５２の中央部に、一対のタングステン電極５６、５６が約１ｍｍ程度の短い電極間距離で互いに対向して配置されると共に、水銀と臭素等のハロゲンとアルゴンガス等の始動用ガスとが充填された放電容器５４が形成され、当該放電容器５４から発光管５２の両端にかけて、電極５６と金属箔５７と電極リード５８とを封着した一対の電極封着部５９Ｒ、５９Ｌが形成され、当該電極封着部５９Ｒ、５９Ｌの端面から突出した電極リード５８、５８を介して点灯回路に接続されるショートアークタイプの高圧水銀蒸気放電ランプ５１と、当該ランプ５１の片方の電極封着部５９Ｌが反射鏡底部に開口するボトム孔６２に挿通して固定された凹面反射鏡６１と、ランプ５１の点灯始動時にその始動性能を高める紫外線を放電容器５４に向けて照射する始動補助光源となるイグニションアンテナ６３とを備えている（特許文献１参照）。
【０００４】
イグニションアンテナ６３は、図８（ａ）に示す拡大図および同図（ｂ）に示すＸ−Ｘ断面図のとおり、電極封着部５９Ｌに沿ってランプ５１の放電容器５４の近くまで延びた長い直管部分６５ａの先端に、電極封着部５９Ｌの外周部に１８０度巻き付けるように半円弧状に曲げられた曲管部分６５ｂが設けられた石英ガラス管で成るアンテナ容器６４内に、イオン化充填物である水銀とアルゴンガスが充填されると共に、当該アンテナ容器６４の直管部分６５ａの自由端側に金属箔（モリブデン箔）で成る電気的導体素子６６が収容配設され、その直管部分６５ａの自由端側に、金属ブッシュで成る外部電極６７が嵌め付けられた構成となっている。
【０００５】
そして、イグニションアンテナ６３は、外部電極６７の部分がセメント６８で電極封着部５９Ｌの外周部に固定され、その外部電極６７が、電流供給導体６９を介して、高圧放電ランプ５１の点灯回路を形成する電流導体７０Ｒ、７０Ｌ間に接続された電圧変成手段７１の出力部に接続されて、外部電極６７とアンテナ容器６４内の電気的導体素子６６との間に高周波ＡＣ電圧あるいはパルス電圧等の始動用電圧が印加されることにより、その間に放電が生じて紫外線を発生し、この紫外線をアンテナ容器６４の直管部分６５ａと曲管部分６５ｂを通じてランプ５１の放電容器５４内に照射して、電極５６、５６間のアーク放電を促すようになっている。
【０００６】
しかし、直管部分６５ａと曲管部分６５ｂが連なるアンテナ容器６４を製作するのは面倒であり、その製作コストが嵩むという欠点がある。また、アンテナ容器６４は、曲管部分６５ｂが、ランプ点灯時に１０００℃前後の高温となるランプ５１の放電容器５４に近接しているため、その高温の影響でランプ消灯直後は外部電極６７と電気的導体素子６６との間の放電が不安定となって、熱間時における再始動性能が芳しくないという問題があると同時に、アンテナ容器６４が熱的損傷を受けて破損するおそれも大きい。
【０００７】
また、外部電極６７と電気的導体素子６６との間の放電によって発生した紫外線が、アンテナ容器６４の長い直管部分６５ａと曲管部分６５ｂを通じてランプ５１の放電容器５４内へと導かれる過程で、反射、屈折したり、アンテナ容器６４内の充填物に吸収されて減衰するという不具合がある。また、アンテナ容器６４の曲管部分６５ｂが、ランプ５１の放電容器５４の片側に近接して配置されることにより、ランプ点灯時における温度分布が放電容器５４の片側と反対側とで著しく異なって、ランプ寿命が損なわれるおそれがあると同時に、アンテナ容器６４の曲管部分６５ｂが、ランプ５１の放電容器５４から凹面反射鏡６１の底部側に放射される光の一部を遮ってランプの光利用効率を低下させるという不具合もある。更に、イグニションアンテナ６３を電極封着部５９Ｌの外周部に固定するセメント６８の経時劣化（熱劣化）によって、イグニションアンテナ６３が電極封着部５９Ｌの外周部から脱落するおそれもある。
【０００８】
そこで本願出願人は、図９に示す如く、高圧放電ランプ５１の点灯始動時に紫外線を発生するグロー放電管８０が、凹面反射鏡８１の外部から当該反射鏡に設けられた冷却エアの通風孔８２を通じてランプ５１の放電容器５４に紫外線を照射することができる位置に配設された光源装置を提案した（特許文献２参照）。
【０００９】
図９の光源装置は、図７の高圧放電ランプと同様の基本構造を有する高圧放電ランプ５１が、片方の電極封着部５９Lを凹面反射鏡８１の底部に開口するボトム孔８３に挿通して当該反射鏡８１と一体的に取り付けられると共に、当該ランプ５１の点灯始動時にその始動性能を高める紫外線を放電容器５４に向けて照射する始動補助光源となるグロー放電管８０が、反射鏡８１の外部に配設されているので、当該放電管８０は、ランプ点灯時に高温に熱せられてその内部の水銀蒸気圧が過度に上昇することがなく、ランプ消灯直後の熱間時においてもグロー放電を生じて紫外線を発生させることができる。
【００１０】
また、グロー放電管８０は、石英ガラスで成るガラス封管８４の内部に、水銀蒸気を含むアルゴンガス等の希ガスが封入されると共に、当該ガラス封管８４の両端から突出する一対のリード線８６、８６を有した金属箔で成る内部電極８５が収容配設され、そのガラス封管８４の外周部に線径約０．２ｍｍのクロミウム・アルミニウム鉄合金線８９を巻き付けて形成されるコイル状の外部電極８７が配設された簡易な構造となっているので、製作コストも嵩まないという利点がある。
【００１１】
そして、グロー放電管８０の内部電極８５と外部電極８７が、夫々ランプ点灯回路の片極側８８Ｒと他極側８８Ｌに接続されて、その内部電極８５と外部電極８７との間に始動用の高周波パルス電圧が印加されることにより、放電管８０の本体となるガラス封管８４内の水銀蒸気中でグロー放電が生じて紫外線が発生し、その紫外線の一部が、反射鏡８１に設けられた冷却エアの通風孔８２を通じて反射鏡８１の内部に配置されたランプ５１の放電容器５４に直接照射されるかあるいは反射鏡８１の反射面で反射して照射されるようになっている。
【００１２】
しかしながら、放電管８０の設置位置が反射鏡８１の通風孔８２から離れていると、その通風孔８２を通じて反射鏡８１内に照射される紫外線量が少なくなって、ランプ５１の始動性能が低下するという問題があり、また、放電管８０を反射鏡８１の通風孔８２に近接させて設置すると、その放電管８０で通風孔８２が塞がれて冷却エアの流通が妨げられるため、ランプ５１の冷却効果が低下するという問題がある。
【００１３】
また、放電管８０は、その外周部に設けるコイル状外部電極８７のコイルの巻き数が少ないと、紫外線の発生量が少ないので、ランプ５１の放電容器５４に向けて必要十分な量の紫外線を照射することができず、また、コイル状外部電極８７のコイルの巻き数を多くすると、当該外部電極８７で紫外線が遮られて、ランプ５１の放電容器５４に必要十分な量の紫外線を照射することができないという問題もある。
【先行技術文献】
【特許文献】
【００１４】
【特許文献１】特許第４１１２６３８号公報
【特許文献２】登録実用新案第３１３７９６１号公報
【発明の概要】
【発明が解決しようとする課題】
【００１５】
本発明は、製作コストが嵩まない簡易な構成の始動用光源によって、高圧放電ランプの放電容器内に必要十分な量の紫外線を効率良く照射することができると同時に、ランプ消灯直後の熱間時においても、その始動用光源が確実に作動して高圧放電ランプの始動性能を高めることができ、また、その始動用光源がランプ点灯時に生ずる高熱よって熱的損傷を受けるおそれもない光源装置を提供することを技術的課題としている。
【課題を解決するための手段】
【００１６】
上記課題を解決するために、本発明は、発光管の放電容器内に、一対の電極が対向して配置されると共に、少なくとも水銀と始動用ガスが封入され、当該放電容器から発光管の両端に至る部分を気密に封止して前記各電極を封着した一対の電極封着部が形成され、当該各電極封着部の端面から突出した電極リードを介して点灯回路に接続される高圧放電ランプと、当該ランプが前記電極封着部の片方を反射鏡底部に開口するボトム孔に挿通して取り付けられる凹面反射鏡と、前記ランプの点灯始動時にその始動性能を高める紫外線を前記放電容器に向けて照射する始動用光源とを備えた光源装置において、前記始動用光源は、前記ランプの点灯始動時に前記電極間に印加される始動用電圧が外部電極と内部電極との間に印加されることにより紫外線を発生する放電管で形成され、前記内部電極の基端側が放電管のピンチシール部に封着され、先端側が放電管の中心軸に沿ってピンチシール部から放電管内に露出されるように延設されると共に、当該内部電極の基端側露出端部及び先端部のいずれか一方または双方が、前記凹面反射鏡のボトム孔に挿通された高圧放電ランプの電極封着部端面と対向する位置に設けられたことを特徴としている。
【発明の効果】
【００１７】
本発明によれば、高圧放電ランプの始動用光源となる放電管が、凹面反射鏡の底部に開口するボトム孔に挿通された高圧放電ランプの電極封着部の端面と対向する位置に配置されるので、その放電管は、ランプ点灯時に生ずる高熱の影響を受けて熱的損傷を生ずるおそれがないと同時に、ランプ消灯直後の熱間時においても安定した放電を生じて確実に紫外線を発生することができる。
【００１８】
また、内部電極の基端側露出端部及び先端部のいずれか一方または双方が、凹面反射鏡のボトム孔に挿通された高圧放電ランプの電極封着部の端面と対向する位置に設けられている。
放電管から照射される紫外線の発光強度分布を測定したところ、内部電極の基端側露出端部及び先端部における発光強度が他の部分に比して高いことが判明したため、このような配置に置けば、始動用励起光となる紫外線の有効利利用することができ、高圧放電ランプの始動性能を著しく向上させることができる。
【図面の簡単な説明】
【００１９】
【図１】本発明に係る光源装置の一例を示す全体図。
【図２】高圧放電ランプの始動用光源の一例を示す斜視図。
【図３】始動用光源となる放電管の外部電極を形成するホルダの一例を示す図。
【図４】始動用光源となる放電管の取付位置を示す図。
【図５】始動用光源の紫外線発光強度分布を示すグラフ。
【図６】始動用光源の他の取付状態を示す図。
【図７】高圧放電ランプの始動性能を高めるための従来技術を示す図。
【図８】高圧放電ランプの始動性能を高めるための従来技術を示す図。
【図９】高圧放電ランプの始動性能を高めるための従来技術を示す図。
【発明を実施するための形態】
【００２０】
本発明に係る光源装置の最良の実施形態は、石英ガラス管で成る発光管の放電容器内に、一対のタングステン電極が対向して配置されると共に、水銀と臭素等のハロゲンとアルゴンガス等の始動用ガスが封入され、当該放電容器から発光管の両端に至る部分をシュリンクシールにより気密に封止して前記各電極を封着した一対の電極封着部が形成され、当該各電極封着部の端面から突出したモリブデンワイヤで成る電極リードを介して点灯回路に接続される高圧放電ランプと、当該ランプが前記電極封着部の片方を反射鏡底部に開口するボトム孔に挿通して取り付けられる凹面反射鏡と、前記ランプの点灯始動時にその始動性能を高める紫外線を前記放電容器に向けて照射する始動用光源とを備えている。
【００２１】
始動用光源は、ランプの点灯始動時に始動用電圧を前記タングステン電極間に印加する点灯回路に対してランプと並列に接続されて、その始動用電圧が外部電極と内部電極との間に印加されることにより紫外線を発生する放電管で形成され、前記内部電極の基端側が放電管のピンチシール部に封着され、先端側が放電管の中心軸に沿ってピンチシール部から放電管内に露出されるように延設されると共に、当該内部電極の基端側露出端部及び先端部のいずれか一方または双方が、前記凹面反射鏡のボトム孔に挿通された高圧放電ランプの電極封着部の端面と対向する位置に設けられている。
【００２２】
前記放電管は、その本体が石英ガラス製のガラス封管で形成され、当該ガラス封管の内部に、アルゴンガス等の希ガスが封入されると共に、モリブデン箔等の金属箔で成る内部電極が収容配設され、当該内部電極の片端に溶接されたリード線が前記ガラス封管の片端側から突出している。なお、放電管の封入物は、希ガスのみに限らず、水銀蒸気を含む希ガスであっても良い。
【００２３】
外部電極は、当該放電管の外周部を前記片方の電極封着部の端面と対向させるように保持してその端面から突出した前記電極リードに固定する金属製のホルダで形成されている。
そして、そのホルダの本体は、放電管の外周部を掴んで保持する形状に曲げ加工されたバネ用ステンレス鋼板等の金属板で形成されている。なお、当該金属板は、前記片方の電極封着部の端面と対向する位置で前記放電管の外周部を掴んで保持する形状に曲げ加工されると共に、前記端面と対面する前記外周部の表面を露呈させる窓孔が形成されるか、あるいは、前記片方の前記電極封着部の端面と対向する位置でその端面と対面する前記放電管の外周部の表面を露呈させるように当該外周部を掴んで保持する形状に曲げ加工されている。
【実施例１】
【００２４】
図１に示す光源装置は、高圧放電ランプ１と、当該ランプ１から放射される光を反射する凹面反射鏡２と、ランプ１の始動性能を高める紫外線を発生する始動用光源３とを備えており、ランプ１は、石英ガラスで成る発光管４の放電容器５内に、一対のタングステン電極６Ｒ、６Ｌが約１ｍｍ程度の短い極間距離で対向して配置されると共に、水銀と臭素等のハロゲンとアルゴンガス等の始動用ガスとが封入され、その放電容器５から発光管４の両端に至る部分を気密に封止して各電極６Ｒ、６Ｌとこれに接続されたモリブデン箔で成る金属箔７とモリブデンワイヤで成る電極リード８とを封着した一対の電極封着部９Ｒ、９Ｌが形成されている。そして、各電極封着部９Ｒ、９Ｌの端面１０から突出した電極リード８、８が、ランプ電力を供給する点灯回路１１の片極側１２Ｒと他極側１２Ｌに夫々接続されると共に、電極６Ｒ、６Ｌ間のアーク放電を促すトリガ線／アンテナ線となる金属線１３が、その片端側を電極封着部９Ｒの端面１０から突出した電極リード８に接続し、その他端側を電極封着部９Ｌの外周部にループ状に巻き付けるように配線されている。
【００２５】
凹面反射鏡２は、その底部に、高圧放電ランプ１の片方の電極封着部９Ｌを挿通させてセメント等で固定するボトム孔１４が開口形成されると共に、その反射部に、高圧放電ランプ１の他方の電極封着部９Ｒから突出する電極リード８に接続されたニッケル線で成るリード線１５を挿し通す配線孔１６が穿設され、その反射部の背面に、配線孔１６から引き出されたリード線１５を固定する配線金具１７が固着されている。
【００２６】
始動用光源３は、高圧放電ランプ１の点灯始動時にその始動用電圧を電極６Ｒ、６Ｌ間に印加する点灯回路１１に対してランプ１と並列に接続されて、放電管１８の内部電極１９と外部電極２０との間に始動用電圧が印加されることにより紫外線を発生する構成となっている。
【００２７】
放電管１８は、その本体が、石英ガラス製のガラス封管２１で形成され、当該ガラス封管２１の内部に、アルゴンガス等の希ガスが充填されると共に、片端にリード線２２が溶接されたモリブデン箔等の金属箔で成る内部電極１９が収容配設されている。なお、ガラス封管２１は、片端側をチップオフして封止し、他端側をピンチシールして当該ピンチシール部２３に内部電極１９とリード線２２との溶接個所が封着されている。すなわち、内部電極１９はリード線２２と溶接される基端部１９ａが放電管１８のピンチシール部２３に封着され、先端部１９ｂに至るまでガラス封管２１の中心軸２１ｘに沿ってそのピンチシール部２３から放電空間２１ａ内に露出されるように延設されている。これにより、基端側露出端部１９ｃから先端部１９ｂまでが、放電空間２１ａ内に露出されることとなる。また、内部電極１９は、ガラス封管２１のピンチシール部２３から突出したリード線２２を介して点灯回路１１の片極側（電極６Ｒ側）１２Ｒに接続されている。
【００２８】
放電管１８の外部電極２０は、放電管１８の外周部２４を反射鏡２のボトム孔１４に挿通されたランプ１の電極封着部９Ｌの端面１０と対向させるように保持してその端面１０から突出した電極リード８に固定する金属製のホルダＨ１で形成され、当該ホルダＨ１が、放電管１８の外周部２４を掴んで保持する形状に曲げ加工された厚さ０．２ｍｍのバネ用ステンレス鋼板（ＳＵＳ３０４−ＣＳＰ）等の金属板で形成されたホルダ本体２５と、これを電極封着部９Ｌの端面１０から突出した電極リード８に固定して電気的に接続するための端子２６とで形成されている。
【００２９】
ホルダＨ１の本体２５を形成する金属板は、電極封着部９Ｌの端面１０と対向する位置で放電管１８の外周部２４を覆うように掴んで保持する形状に曲げ加工されると共に、当該金属板に、電極封着部９Ｌの端面１０と対面する外周部２４の表面を露呈させる窓孔２７が形成されている。また、その金属板の一部で固定用端子２６となるタブ端子が形成され、当該タブ端子が図３（ａ）の鎖線図示の状態から実線図示の如く電極リード８を把持するように折り曲げられて当該電極リード８にスポット溶接されることにより、放電管１８が剛直性を有するモリブデンワイヤで成る電極リード８に対して確りと固定されると同時に、金属製のホルダＨ１で成る外部電極２０が、点灯回路１１の他極側（電極６Ｌ側）１２Ｌに対して電気的に接続されている。
【００３０】
そして、このホルダＨ１で成る外部電極２０に放電管１８が装着される。
この場合に、放電管１８は、内部電極１９の基端側露出端部１９ｃ及び先端部１９ｂのいずれか一方または双方が、凹面反射鏡２のボトム孔１４に挿通された高圧放電ランプ１の片方の電極封着部９Ｌの端面１０と対向する位置に設けられている。
この場合、図４（ａ）に示すように高圧放電ランプ１の封着部９Ｌの外周面を延長した仮想円筒９ａ内に内部電極１９の先端部１９ｂが位置するように配され、あるいは、図４（ｂ）に示すように前記仮想円筒９ａ内に内部電極１９の基端側露出端部１９ｃが位置するように配され、さらに、内部電極１９の先端部１９ｂから基端側露出端部１９ｃに至る長さが前記仮想円筒９ａの直径より小さければ、その双方が仮想円筒９ａ内に位置するように配することが最も好ましい。
【００３１】
図５は紫外線の発光強度分布を示す説明図であって、Ｘ軸が電極の長手方向の位置、Ｙ軸が紫外線発光強度である。これによれば、内部電極１９の先端部１９ｂ及び基端側露出端部１９ｃの発光強度が高いことがわかる。これは、始動用電圧を印加したときに、内部電極１９と放電空間２１ａ内面が正極と負極に分極し、先端部１９ｂには電気力線が集中するため放電がおきやすく、基端側露出端部１９ｃ近傍ではガラス封管２１がピンチシールされているので内部電極１９と放電空間２１ａの内面とのギャップが小さいため放電がおきやすいと推測される。
【００３２】
しかして、高圧放電ランプ１の点灯始動時に、その点灯回路１１から放電管１８の内部電極１９と外部電極２０との間に始動用電圧が印加され、放電管１８の本体を成すガラス封管２１内に封入された希ガス中でその希ガスを励起する放電が生じて紫外線が発生し、当該紫外線が、外部電極２０を形成するホルダＨ１の本体２５に形成された窓孔２７から放射されてランプ１の電極封着部９Ｌの端面１０に入射され、電極封着部９Ｌ内を透過・伝播して放電容器５内に照射されることにより、放電容器５内に封入した始動用ガスが励起されると共に、電極６Ｒ、６Ｌを形成するタングステンが放電開始に必要な初期電子を放出して高圧放電ランプ１の始動が促進される。
【００３３】
このとき、始動用光源３となる放電管１８は、内部電極１９の先端部１９ｂ及び基端側露出端部１９ｃのいずれか一方または双方が、高圧放電ランプ１の電極封着部９Ｌの端面１０と対向する位置に設けられているので、発光強度分布の高い部分から出力される紫外線が断面１０に入射されるだけでなく、端面１０と対向する位置に配設されているのでランプの点灯中に高温に熱せられることがないから、ランプ消灯直後の熱間時においても安定的に放電を生じて紫外線を発生させることができる。また、放電管１８の外部電極２０は、内部電極１９が収容された放電管１８の外周部２４を掴んで保持する形状に曲げ加工された金属板で成るホルダＨ１で形成されており、その電極面積が大きいので、ランプの始動性能を高めるために必要十分な量の紫外線を発生させることができる。また、放電管１８は、その外周部２４が電極封着部９Ｌの端面１０と対向しているので、放電管１８内で発生した紫外線を電極封着部９Ｌの端面１０に効率良く入射させることができる。
【００３４】
また、放電管１８は、簡易な構成であるから、その製作コストも嵩まない。また、放電管１８の外周部２４を保持するホルダＨ１は、ランプ１の電極リード８に溶接して固定されるので、当該電極リード８から脱落するおそれがないし、電極リード８は、剛直性を有するモリブデンワイヤで形成されているので、当該電極リード８が不如意に曲がってホルダＨ１に保持された放電管１８の外周部２４が電極封着部９Ｌの端面１０と対向しなくなるというような不具合を生ずるおそれもない。
【００３５】
さらに、放電管１８は、上述したように、その長手方向に延びる中心軸１８Ｘが、ランプ１の電極封着部９Ｌの端面１０に対して平行に配されている場合に限らず、図６に示すように傾斜して配されていてもよい。
ただし、傾斜角度θ＞３０度の場合は、内部電極１９の先端部１９ｂ又は基端側露出端部１９ｃから放射され、ランプ１の電極封着部９Ｌの端面１０に向かう紫外線が、ガラス封管２１を透過する際に、放電空間２１ａの内面及び外面で屈折するので、端面１０への紫外線照射量が減り、その結果、放電容器５内に達する紫外線量が減るため効率が低下するだけでなく、θがより大きくなると、中心軸１８Ｘとランプ１の電極リード８との距離が近づくためにこの間で放電及び短絡を起こす可能性が高くなるという問題を生じる。
したがって、端面１０に対する中心軸１８Ｘの傾斜角度θが、
−３０°≦θ≦＋３０°
で配されていることが望ましい。
【００３６】
さらにまた、内部電極１９はモリブデン箔で形成されている場合に限らず、ロッド状に形成されていてもよい。
【産業上の利用可能性】
【００３７】
本発明は、液晶プロジェクタやＤＬＰプロジェクタ等の光源装置に用いられる高圧放電ランプの始動性能向上に資するものである。
【符号の説明】
【００３８】
１    高圧放電ランプ１    
２    凹面反射鏡２    
３    始動用光源３    
４    発光管４    
５    放電容器５    
６Ｒ、６Ｌ  タングステン電極６Ｒ、６Ｌ    
７    金属箔７    
８    電極リード８    
９Ｒ、９Ｌ  電極封着部９Ｒ、９Ｌ    
９ａ  仮想円筒９ａ      
１０    端面１０    
１１    点灯回路１１    
１２Ｒ  片極側１２Ｒ    
１２Ｌ  他極側１２Ｌ    
１３    金属線１３    
１４    ボトム孔１４    
１５    リード線１５    
１６    配線孔１６    
１７    配線金具１７    
１８    放電管１８    
１９    内部電極１９    
１９ａ  基端部１９ａ    
１９ｂ  先端部１９ｂ    
１９ｃ  基端側露出端部１９ｃ  
２０    外部電極２０    
２１    ガラス封管２１    
２１ｘ  中心軸２１ｘ    
２１ａ  放電空間２１ａ    
２２    リード線２２    
２３    ピンチシール部２３    
２４    外周部２４    
Ｈ１    ホルダＨ１    
２５    ホルダ本体２５    
２６    端子２６    
２７    窓孔２７  
【図１】
2010267460.tif 000003
【図２】
2010267460.tif 000004
【図３】
2010267460.tif 000005
【図４】
2010267460.tif 000006
【図５】
2010267460.tif 000007
【図６】
2010267460.tif 000008
【図７】
2010267460.tif 000009
【図８】
2010267460.tif 000010
【図９】
2010267460.tif 000011